(57)【特許請求の範囲】
【請求項１】
底部と、前記底部につながって上下方向における上側に延びる側部とによって袋状に形成され、前記側部の前記上下方向の上側の端部である稜線によって開口部が形成された収納体に着脱可能であって、
前記上下方向と直交し、前記側部が環状に繋がる方向を周方向とし、前記上下方向及び前記周方向に直交する方向を平面方向としたとき、
前記上下方向と前記周方向に延びる補助側部と、
前記側部に着脱可能な第一接続部と、
前記側部、または前記底部に着脱可能な第二接続部を備え、
前記第一接続部は、前記稜線に隣接した位置で前記側部に接続されるように、前記補助側部の一方の端部に形成され、
前記第二接続部は、前記補助側部の他方の端部に形成され、
前記第二接続部が、前記収納体における前記側部の前記平面方向の外側、または前記底部の下側であって前記側部に隣接する位置に接続されるとき、前記補助側部と前記側部との間に袋状の収納空間が形成され、
前記第一接続部が前記側部に接続されるとき、前記補助側部の一部が前記収納空間の蓋部を形成し、
前記補助側部は、
前記平面方向の内側に前記上下方向に延びる仕切部と、
前記仕切部の前記上下方向の延長上であって、前記第一接続部を含む一方の端部から所定の長さの切込部を複数備え、
前記仕切部は、前記補助側部が前記側部に装着されるとき、前記周方向において前記収納空間を複数形成し、
前記切込部と前記切込部との間の前記補助側部は、前記蓋部として形成され、
前記蓋部は、複数形成された前記収納空間に対応して、前記側部にそれぞれ独立して着脱可能であることを特徴とする補助収納体。
【請求項２】
前記補助側部は、前記側部の前記周方向における全周を覆い、
前記収納空間は前記側部の前記平面方向の外側の全周に形成されることを特徴とする請求項１に記載の補助収納体。
【請求項３】
前記補助側部は、前記側部の前記平面方向の外側に着脱可能であり、前記周方向のそれぞれの端部に第三接続部を備え、前記第二接続部と前記第三接続部が前記側部に接続することにより、前記収納空間が形成されることを特徴とする請求項１又は２に記載の補助収納体。
【請求項４】
さらに第四接続部を備え、
前記補助側部は、他方の端部における前記平面方向の内側において、前記第二接続部が前記側部の前記稜線に隣接する位置に接続するように形成され、
前記第四接続部は、前記補助側部が前記第二接続部よりも下側で前記側部に接続するように、前記補助側部の前記平面方向の内側に形成され、
前記収納空間は、前記補助側部が前記第二接続部よりも下側で曲折して上側に延びることにより袋状に形成されることを特徴とする請求項１から３のいずれかに記載の補助収納体。
【請求項５】
請求項１から４のいずれかに記載の補助収納体と、
前記収納体を備え、
前記収納体は、
前記側部の前記稜線に隣接した位置に前記第一接続部と接続する第五接続部と、
前記側部の前記平面方向の外側、又は前記底部の下側に前記第二接続部と接続する第六接続部を備えたことを特徴とする複合収納体。
【請求項６】
請求項３に記載の補助収納体と、
前記収納体を備え、
前記収納体は、
前記側部の前記稜線に隣接した位置に前記第一接続部と接続する第五接続部と、
前記側部の前記平面方向の外側、又は前記底部の下側に前記第二接続部と接続する第六接続部と、
前記側部の前記平面方向の外側に、前記第三接続部と接続する第七接続部を備えたこと
を特徴とする複合収納体。
【請求項７】
請求項４に記載の補助収納体と、
前記収納体を備え、
前記収納体は、
前記側部の前記稜線に隣接した位置に前記第一接続部と接続する第五接続部と、
前記側部の前記平面方向の外側、又は前記底部の下側に前記第二接続部と接続する第六接続部と、
前記側部の前記平面方向の外側に、前記第四接続部と接続する第八接続部を備えたことを特徴とする複合収納体。
【発明の詳細な説明】
【技術分野】
【０００１】
本発明は、収納体に着脱可能な補助収納体、及び収納体に補助収納体が接続された複合収納体に関する。
【背景技術】
【０００２】
従来、複数の収納部を有するバッグが知られている。例えば、特許文献１に記載の濡れ物用バッグは、底部に透水手段を設けたバッグ本体と、該バッグ本体を収容自在とするカバー体とからなるものである。この構成によれば、バッグ本体と、バッグ本体及びカバー体との間に物を収納することができる。
【先行技術文献】
【特許文献】
【０００３】
【特許文献１】特開２００７−２７５４８７号公報
【発明の概要】
【発明が解決しようとする課題】
【０００４】
しかしながら、従来例ではバッグ本体（内袋という）と、バッグ本体及びカバー体（外袋という）との間の二つの袋が必要である。従って、バッグ本体とカバー体との間に収納スペースを設けることを目的としたときに底部分が二重構造となり、単に二つのバッグを合わせることで材料費がかさむなどの無駄があった。
【０００５】
本発明の目的は、従来の課題を解決すべくなされたものであり、収納体の側面側の外周に装着することで収納空間を形成する補助収納体を提供することにある。
【課題を解決するための手段】
【０００６】
本発明の第一の態様に係る補助収納体は、底部と、前記底部につながって上下方向における上側に延びる側部とによって袋状に形成され、前記側部の前記上下方向の上側の端部である稜線によって開口部が形成された収納体に着脱可能であって、前記上下方向と直交し、前記側部が環状に繋がる方向を周方向とし、前記上下方向及び前記周方向に直交する方向を平面方向としたとき、前記上下方向と前記周方向に延びる補助側部と、前記側部に着脱可能な第一接続部と、前記側部、または前記底部に着脱可能な第二接続部を備え、前記第一接続部は、前記稜線に隣接した位置で前記側部に接続されるように、前記補助側部の一方の端部に形成され、前記第二接続部は、前記補助側部の他方の端部に形成され、前記第二接続部が、前記収納体における前記側部の前記平面方向の外側、または前記底部の下側であって前記側部に隣接する位置に接続されるとき、前記補助側部と前記側部との間に袋状の収納空間が形成され、前記第一接続部が前記側部に接続されるとき、前記補助側部の一部が前記収納空間の蓋部を形成することを特徴とする。
【０００７】
これによれば、補助収納体は収納体の側部に着脱可能であり、収納体の底部が二重になることがないので、材料費を低減させることができる。また、補助収納体は、収納体に対して容易に交換が可能である。
【０００８】
また、前記補助収納体の前記補助側部は、前記第一接続部を含む一方の端部から所定の長さの複数の切込部を備え、前記切込部と前記切込部との間の前記第一接続部を含む前記補助側部が、前記蓋部として前記側部にそれぞれ独立して着脱可能に形成されてもよい。
【０００９】
この場合、切込部と切込部との間の第一接続部を含む補助側部が、蓋部として側部にそれぞれ独立して着脱可能なので、蓋部の開閉が容易である。また、蓋部は必要な箇所のみ開閉することができる。
【００１０】
また、前記補助収納体の前記補助側部は、前記平面方向の内側に前記上下方向に延びる仕切部を備え、前記仕切部は、前記補助側部が前記側部に装着されるとき、前記周方向において前記収納空間を複数形成してもよい。
【００１１】
この場合、仕切部は、補助側部が側部に装着されるとき、周方向において収納空間を複数形成するので、使用者は収納空間を区分けして使用することができる。
【００１２】
また、前記補助収納体の前記補助側部は、前記平面方向の内側に前記上下方向に延びる仕切部と、前記仕切部の前記上下方向の延長上であって、前記第一接続部を含む一方の端部から所定の長さの切込部を複数備え、前記仕切部は、前記補助側部が前記側部に装着されるとき、前記周方向において前記収納空間を複数形成し、前記切込部と前記切込部との間の前記補助側部は、前記蓋部として形成され、前記蓋部は、複数形成された前記収納空間に対応して、前記側部にそれぞれ独立して着脱可能でもよい。
【００１３】
この場合、仕切部は、補助側部が側部に装着されるとき、周方向において収納空間を複数形成するので、使用者は収納空間を区分けして使用することができる。また、蓋部は、複数形成された収納空間に対応して、側部にそれぞれ独立して着脱可能なので、それぞれの収納空間に対して容易に収納物を出し入れできる。
【００１４】
また、前記補助収納体の前記補助側部は、少なくとも前記第一接続部を含む第一端部材と、前記第二接続部を含む第二端部材と、前記第一端部材と前記第二端部材とをつなぐ補助側部部材とからなってもよい。この場合、第一端部材と第二端部材及び補助側部部材とを異なる部材、或いは異なる形態で形成できるので、製造上の自由度が増す。
【００１５】
また、前記補助収納体の前記補助側部は、前記側部の前記周方向における全周を覆い、前記収納空間は前記側部の前記平面方向の外側の全周に形成されてもよい。この場合、収納空間は、収納体の側部の全周にわたって収納物を収納することができる。
【００１６】
また、前記補助収納体の前記補助側部は、前記側部の前記周方向に沿って延びるシート状の部材によって形成され、前記周方向のそれぞれの端部に周方向接続部を備え、前記補助側部は、前記収納体における前記側部の前記平面方向の外側に前記周方向に沿って巻回され、一方の前記周方向接続部と他方の前記周方向接続部とが接続することにより前記側部を環状に覆い、前記補助側部と前記側部との間に前記収納空間が環状に形成されてもよい。
【００１７】
この場合、補助収納体はシート状の部材なので、収納体の側部を環状に覆うことで容易に装着できる。また、補助側部は周方向接続部によって周方向の端部が接続されるので、収納空間が安定して形成される。
【００１８】
また、前記補助収納体の前記補助側部は、前記側部の前記周方向に沿って延びる環状の部材によって形成され、前記第二接続部は、前記補助側部の前記平面方向の外側、または前記底部の下側に接続され、前記補助側部と前記側部との間に前記収納空間が環状に形成されてもよい。
【００１９】
この場合、補助収納体は収納体を上下方向から挿入することにより容易に着脱することができる。また、補助側部が環状に形成されているので、収納体の側部に装着するときに、収納空間が安定して形成される。
【００２０】
また、前記補助収納体の前記補助側部は、前記側部の前記平面方向の外側に着脱可能であり、前記周方向のそれぞれの端部に第三接続部を備え、前記第二接続部と前記第三接続部が前記側部に接続することにより、前記収納空間が形成されてもよい。
【００２１】
この場合、補助収納体は、第二接続部と第三接続部が側部に接続することによって独立した収納空間が形成されるので、収納空間は周方向において閉じた空間を形成することができる。
【００２２】
また、前記補助収納体は、さらに第四接続部を備え、前記補助側部は、他方の端部における前記平面方向の内側において、前記第二接続部が前記側部の前記稜線に隣接する位置に接続するように形成され、前記第四接続部は、前記補助側部が前記第二接続部よりも下側で前記側部に接続するように、前記補助側部の前記平面方向の内側に形成され、前記収納空間は、前記補助側部が前記第二接続部よりも下側で曲折して上側に延びることにより袋状に形成されてもよい。
【００２３】
この場合、補助側部によって収納空間が形成されるので、収納物を容易に出し入れすることができる。また、第四接続部は第二接続部よりも下側で側部に接続するので、補助側部が安定して収納体の側部に装着される。
【００２４】
また、前記補助収納体は、前記補助側部の一方の端部が、前記収納体における前記開口部の前記平面方向の内側に向かって曲折可能であり、前記第一接続部は、前記補助側部の一方の端部において前記平面方向の内側に形成され、前記側部の前記平面方向の内側に接続されることにより、前記補助側部の一方の端部が前記収納空間を覆うことで前記蓋部が形成されてもよい。この場合、蓋部は収納空間を覆うように形成されるので、収納空間に雨水或いは埃等が侵入することを防止できる。
【００２５】
また、前記補助収納体は、前記補助側部の一方の端部が、前記上下方向の上端部の曲折部において下側に曲折して形成され、前記第一接続部は前記曲折部よりも下側に形成されてもよい。この場合、補助側部の上端部が蓋部として予め形成されるので、第一接続部を収納体の側部に接続するときに蓋部の形状が安定して形成される。
【００２６】
また、前記補助収納体の前記第一接続部は、前記補助側部の一方の端部の前記平面方向の内側に形成され、前記側部の前記平面方向の外側に接続されてもよい。この場合、補助側部は、収納体の稜線をまたぐことなく、第一接続部が側部に直接接続されるので、収納体に対する着脱が容易である。
【００２７】
本発明の第二の態様に係る複合収納体は、前記補助収納体と、前記収納体を備え、前記収納体は、前記側部の前記稜線に隣接した位置に前記第一接続部と接続する第五接続部と、前記側部の前記平面方向の外側、又は前記底部の下側に前記第二接続部と接続する第六接続部を備えたことを特徴とする。
【００２８】
これによれば、複合収納体は、収納体に対して種々の形態である補助収納体を着脱可能なので、収納体と補助収納体との組合せを任意に選定することができる。また、補助収納体は、収納体に対して交換可能である。
【００２９】
本発明の第三の態様に係る複合収納体は、前記補助収納体と、前記収納体を備え、前記収納体は、前記側部の前記稜線に隣接した位置に前記第一接続部と接続する第五接続部と、前記側部の前記平面方向の外側、又は前記底部の下側に前記第二接続部と接続する第六接続部と、前記側部の前記平面方向の外側に、前記第三接続部と接続する第七接続部を備えたことを特徴とする。
【００３０】
これによれば、複合収納体は、収納体に対して種々の形態である補助収納体を着脱可能なので、収納体と補助収納体との組合せを任意に選定することができる。また、補助収納体は、収納体に対して交換可能である。さらに、補助収納体は第三接続部を備え、収納体は第七接続部を備える。よって、補助収納体は、第二接続部と第三接続部が側部に接続することによって独立した収納空間が形成されるので、収納空間は周方向において閉じた空間を形成することができる。
【００３１】
本発明の第四の態様に係る複合収納体は、前記補助収納体と、前記収納体を備え、前記収納体は、前記側部の前記稜線に隣接した位置に前記第一接続部と接続する第五接続部と、前記側部の前記平面方向の外側、又は前記底部の下側に前記第二接続部と接続する第六接続部と、前記側部の前記平面方向の外側に、前記第四接続部と接続する第八接続部を備えたことを特徴とする。
【００３２】
これによれば、複合収納体は、収納体に対して種々の形態である補助収納体を着脱可能なので、収納体と補助収納体との組合せを任意に選定することができる。また、補助収納体は、収納体に対して交換可能である。さらに、補助収納体は第四接続部を備え、収納体は第八接続部を備える。補助側部によって収納空間が形成されるので、収納物を容易に出し入れすることができる。また、第四接続部は、補助側部が第二接続部よりも下側で側部に接続するので、補助側部が安定して収納体の側部に装着される。
【図面の簡単な説明】
【００３３】
【図１】本発明の補助収納体１、および複合収納体４０を示した斜視図である。
【図２】本発明の補助収納体１、および複合収納体４０を示した平面図である。
【図３】図２における断面Ａ−Ａである。
【図４】図３に対して、第一接続部３が別の形態の例を示した断面図（図２の断面Ａ−Ａに相当）である。
【図５】図３における第二接続部４と第六接続部３５の別の例を示した部分拡大図である。
【図６】本発明の第一実施形態の補助収納体１ａを示した図であり、複合収納体４０に収納物５０が収納される状態を示した断面図（図２の断面Ａ−Ａに相当）である。
【図７】本発明の第一実施形態の補助収納体１ａを示した図であり、複合収納体４０に収納物５０が収納された状態から、補助収納体１の第一接続部３を収納体３０の第五接続部３４に接続させる状態を示した断面図（図２の断面Ａ−Ａに相当）である。
【図８】第一実施形態の補助収納体１ａが、収納体３０に装着される状態を示した斜視図である。
【図９】第二実施形態の補助収納体１ｂが、収納体３０に装着される状態を示した斜視図である。
【図１０】（ａ）は、第一実施形態の補助収納体１ａが、収納体３０に装着された状態を示した斜視図であり、（ｂ）は、第二実施形態の補助収納体１ｂが、収納体３０に装着された状態を示した斜視図である。
【図１１】（ａ）は図１０（ａ）に対して補助収納体１ａが切込部７を備えた場合を示し、（ｂ）は図１０（ｂ）に対して補助収納体１ｂが切込部７を備えた場合を示す。
【図１２】第三実施形態の補助収納体１ｃを示した図であり、（ａ）は補助側部２ｃがシート状の場合を示した図であり、（ｂ）は補助収納体１ｃが収納体３０の側部３２に装着された状態の平面図である。
【図１３】第三実施形態の補助収納体１ｃが収納体３０の側部３２に装着され、仕切部９によって分割された第一接続部３の一部が開放された状態を示した斜視図である。
【図１４】第四実施形態の補助収納体１ｄを示した図であり、（ａ）は補助側部２ｄがシート状の場合の斜視図であり、（ｂ）は補助側部２ｄが環状に形成された場合の斜視図である。
【図１５】図７のＪ部詳細図であり、（ａ）と（ｂ）は第一実施形態の補助収納体１ａを例に示した図であり、（ｃ）と（ｄ）は第四実施形態の補助収納体１ｄを例に示した図であり、それぞれ（ａ）と（ｃ）は第一接続部３が第五接続部３４に接続されて蓋部６を形成した状態を示し、（ｂ）と（ｄ）は第一接続部３が第五接続部３４から解放された状態を示す。
【図１６】（ａ）は図６のＦ部において、補助側部２が三つの部材で構成された例を示した詳細図であり、（ｂ）は図１４のＧ部において、補助側部２が三つの部材で構成された例を示した詳細図である。
【図１７】第五実施形態の補助収納体１ｅ、及び第六実施形態の補助収納体１ｆを示した図であり、（ａ）は平面図であり、（ｂ）は（ａ）のＢ視図である。
【図１８】（ａ）は、第五実施形態の補助収納体１ｅを示した斜視図であり、（ｂ）は、第六実施形態の補助収納体１ｆを示した斜視図である。
【図１９】第七実施形態の補助収納体１ｇが収納体３０の側部３２に装着された状態を示した断面図（図２の断面Ａ−Ａに相当）である。
【図２０】（ａ）は第八実施形態の補助収納体１ｈが収納体３０の側部３２に装着された状態を示し、（ｂ）は第九実施形態の補助収納体１ｊが収納体３０の側部３２に装着された状態を示した断面図（図２の断面Ａ−Ａに相当）である。
【発明を実施するための形態】
【００３４】
以下、図面を参照し、本発明を具現化した補助収納体１、及び複合収納体４０を説明する。参照する図面は、本発明が採用しうる技術的特徴を説明するために用いられるものである。図面に記載されている装置の構成は、それのみに限定する趣旨ではなく、単なる説明例である。
【００３５】
＜補助収納体１共通の構成＞
図１〜図５を参照して、補助収納体１に共通する構成を説明する。第一実施形態から第九実施形態の補助収納体１はそれぞれ後述するが、まず、共通の構成を説明する。図３に示すように、補助収納体１は、底部３１と、底部３１につながって上下方向における上側に延びる側部３２とによって袋状に形成され、側部３２の上下方向の上側の端部である稜線３８によって開口部３３が形成された収納体３０に着脱可能である。上下方向と直交し、側部３２が環状に繋がる方向を周方向とし、上下方向及び周方向に直交する方向を平面方向とする。補助収納体１は、上下方向と周方向に延びる補助側部２と、側部３２に着脱可能な第一接続部３と、側部３２、または底部３１に着脱可能な第二接続部４を備える。
【００３６】
図３、図４に示すように、第一接続部３は、稜線３８に隣接した位置で側部３２に接続されるように、補助側部２の一方の端部２１に形成される。第二接続部４は、補助側部２の他方の端部２２に形成される。第二接続部４が、収納体３０における側部３２の平面方向の外側、または底部３１の下側であって側部３２に隣接する位置に接続されるとき、補助側部２と側部３２との間に袋状の収納空間５が形成される。第一接続部３が側部３２に接続されるとき、補助側部２の一部が収納空間５の蓋部６を形成する。
【００３７】
図３に示す例では、第二接続部４が、収納体３０における側部３２の平面方向の外側に接続される。この場合、第二接続部４は、補助側部２の一部が上側に折り返されて他方の端部２２が形成される。図５に示す例では、第二接続部４が、収納体３０における底部３１の下側であって側部３２に隣接する位置に接続される。
【００３８】
第一接続部３、第二接続部４と、後述する収納体３０の第五接続部３４、及び第六接続部３５は、種々の形態を採用することができる。例として、それぞれに面ファスナーを採用することができる。図４を除いて、図３〜図２０は面ファスナーを想定した例を示す。
【００３９】
図４に示すように、第一接続部３、第二接続部４と、後述する収納体３０の第五接続部３４、及び第六接続部３５は、ボタン、マグネットを採用することができる。なお、接続形態は、その他種々の形態を採用することが可能である。
【００４０】
図１６の例を除き、図１から図２０は、補助側部２が一体の部材で形成された例を示す。補助側部２は、収納空間５に収納物５０が収納された状態で、収納物５０が平面方向の外側から目視できるように透明の部材で形成することができる。材質は、例えば透明ビニールシートが使用されるが、他の透明材料を使用しても良い。また、網目状の素材を使用して、収納物５０が外側から目視できるようにしてもよい。補助側部２の素材は、他に例えば、ポリエチレン、ナイロン、ビニール等の樹脂材料、或いはポリエステル繊維、ポリウレタン繊維等を選択することができる。なお、その他の素材を選択してもよい。
【００４１】
＜補助収納体１共通の構成の解決課題とその効果＞
以上説明したように、本発明の補助収納体１に共通の構成は種々の効果を奏する。従来は、例えば特許文献１に記載の濡れ物用バッグのように、バッグ本体と、バッグ本体とカバー体との間に物を収納することができた。しかしながら、バッグ本体及びカバー体との二つの袋が必要である。従って、バッグ本体とカバー体との間に収納スペーズを設けることを目的としたときに底部分が二重構造となる。この場合、二つのバッグを重ねて使用することになり、材料費等の費用がかさむなどの無駄があった。以上説明した本発明の補助収納体１は、従来の課題を解決するものである。
【００４２】
図３、図８、及び図９に示すように、第一接続部３は収納体３０の側部３２、または底部３１の下側であって側部３２に隣接する位置に着脱可能なので、収納体３０の底部３１が二重にならない。よって、補助収納体１或いは収納体３０の材料費を低減させることができる。また、補助収納体１は、収納体３０に対して容易に交換が可能である。よって、補助収納体１が損傷等した場合、新たな別の補助収納体１に取り替えることができる。或いは、例えば外観形状、色等が異なる別の補助収納体１と交換することで、一つの収納体３０に対してあたかも複数の収納体３０（或いは後述する複合収納体４０）を有するような効果をもたらす。外観形状が異なる補助収納体１は、後述する第一実施形態の補助収納体１ａから第九実施形態の補助収納体１ｊの異なる構成を有するものでもよいし、或いは単に外観形状、色等のデザインが異なるものでもよい。
【００４３】
また、図３に示す例では、第二接続部４が、収納体３０における側部３２の平面方向の外側に接続される。この場合、補助側部２が収納体３０の底部３１よりも下側にはみ出さない構成が可能である。よって、補助側部２が接地面に接することを防止できる。
【００４４】
また、図５に示す例では、第二接続部４が、収納体３０における底部３１の下側であって側部３２に隣接する位置に接続される。この場合、補助側部２の他方の端部２２が収納体３０の底部３１よりも下側に位置するようになるので、補助側部２の他方の端部２２の近傍部分を接地面に接する脚部として機能させることができる。後述するように、収納体３０に補助収納体１が接続された複合収納体４０は、地面等の接地面に置かれても収納体３０の底部３１は汚れることを防止できる。複合収納体４０は、補助収納体１を交換するか、或いは補助収納体１の他方の端部２２のみを清掃することで、接地面を清潔な状態にすることができる。
【００４５】
次に、図１１から図１５を参照して、補助側部２の切込部７を説明する。補助収納体１の補助側部２は、第一接続部３を含む一方の端部２１から所定の長さＬ１（又はＬ２）の複数の切込部７を備え、切込部７と切込部７との間の第一接続部３を含む補助側部２が、蓋部６として側部３２にそれぞれ独立して着脱可能に形成される構成でもよい。所定の長さＬ１とＬ２は、補助側部２が蓋部６として開閉し、収納空間５に収納物５０を出し入れしやすいよう必要な範囲に形成される。
【００４６】
補助収納体１は以下の解決すべき課題があり、その効果を奏する。すなわち、補助収納体１は、蓋部６を容易に開閉したいという課題がある。また、収納物５０は種々のサイズが想定されるので、収納物５０の収納位置に合わせて蓋部６を開閉したいという課題がある。仮に収納物５０が小さな物の場合、蓋部６が収納体３０の開口部３３全体を覆う一体的なものの場合には、余分な位置の蓋部６を含めて開閉しなければいけないという無駄が生じる。
【００４７】
この課題を解決するために、図１３、図１５に示す例では、補助収納体１は、切込部７と切込部７との間の第一接続部３を含む補助側部２が、蓋部６として側部３２にそれぞれ独立して着脱可能な構成である。よって、蓋部６は開閉が容易である。また、蓋部６は必要な箇所のみ開閉することができる。
【００４８】
次に、図１２及び図１３を参照して、補助側部２における仕切部９が備えられる例を説明する。補助収納体１の補助側部２は、平面方向の内側に上下方向に延びる仕切部９を備え、仕切部９は、補助側部２が側部３２に装着されるとき、周方向において収納空間５を複数形成する構成でも良い。
【００４９】
補助収納体１は以下の解決すべき課題があり、その効果を奏する。すなわち、補助収納体１は、収納空間５に複数の収納物５０を混在することなく区分けして収納したいという課題がある。この課題を解決するために、図１２、図１３に示す例では、補助収納体１は、周方向において収納空間５が複数形成されるので、使用者は収納空間５を区分けして使用することができる。
【００５０】
次に、補助収納体１は以下の構成でも良い。すなわち、図１２及び図１３に示す例では、補助収納体１ｃの補助側部２ａは、平面方向の内側に上下方向に延びる仕切部９と、仕切部９の上下方向の延長上であって、第一接続部３を含む一方の端部２１から所定の長さＬ１（又はＬ２）の切込部７を複数備える。仕切部９は、補助側部２ａが側部３２に装着されるとき、周方向において収納空間５を複数形成し、切込部７と切込部７との間の補助側部２は蓋部６として形成される。蓋部６は、複数形成された収納空間５に対応して、側部３２にそれぞれ独立して着脱可能な構成である。
【００５１】
補助収納体１は以下の解決すべき課題があり、その効果を奏する。すなわち、補助収納体１は、複数に区分した収納空間５に収納物５０を容易に出し入れしたいという課題がある。この課題を解決するために、図１３に示す例では、補助収納体１の仕切部９は、補助側部２が側部３２に装着されるとき、周方向において収納空間５を複数形成するので、使用者は収納空間５を区分けして使用することができる。また、蓋部６は、複数形成された収納空間５に対応して、側部３２にそれぞれ独立して開閉可能である。よって、それぞれの収納空間５に対して容易に収納物５０を出し入れできる。また、蓋部６を開けたときに他の収納空間５の蓋部６は閉じられたままなので、他の収納空間５に雨水或いは埃が侵入することを防止できる。
【００５２】
次に、補助収納体１は以下の構成でも良い。すなわち、図１６に示すように、補助収納体１の補助側部２は、少なくとも第一接続部３を含む第一端部材１２と、第二接続部４を含む第二端部材１３と、第一端部材１２と第二端部材１３とをつなぐ補助側部部材２０とからなる。補助側部部材２０と第一端部材１２、及び第二端部材１３とは、例えば接着或いは熱溶着によってつながれてもよいし、或いは面ファスナー等によって着脱可能な構成でもよい。さらには、第一端部材１２と第二端部材１３と補助側部部材２０とが一つの素材で形成され、第一端部材１２と第二端部材１３が折り返されて二重にすることで強度と耐久性を増す構成でもよい。
【００５３】
補助収納体１は以下の解決すべき課題があり、その効果を奏する。すなわち、補助収納体１の補助側部２において、第一接続部３及び第二接続部４を含む部分は、収納体３０との着脱動作がなされるため、一定程度の強度と耐久性が必要となる。補助側部２を一体的に製造するか或いは一つの部材で構成する場合、材料選定が困難になる場合がある。
【００５４】
この課題を解決するために、図１６に示す例では、補助収納体１の補助側部２は、第一端部材１２と第二端部材１３及び補助側部部材２０とを異なる部材、或いは異なる形態で形成できるので、製造上の自由度が増す。例えば、補助側部部材２０は厚みが薄い透明のビニール素材を使用し、第一端部材１２と第二端部材１３は、補助側部部材２０よりも厚みが厚い布等の素材を使用することができる。
【００５５】
＜補助側部２の構成、解決課題及びその効果の説明＞
次に、第一実施形態の補助収納体１ａから第九実施形態の補助収納体１ｊ（以下、補助収納体１と記載する）について補助側部２の構成を説明する。図１０、図１１の例に示す例では、補助収納体１の補助側部２（２ｅ、２ｆを除く）は、側部３２の周方向における全周を覆い、収納空間５は側部３２の平面方向の外側の全周に形成される。例として、収納空間５は、周方向の全周に渡って内部に仕切無く形成されることで環状の一つの収納空間５が形成され、収納物５０が側部３２の全周を巻き込むように収納可能でもよい。なお、すでに説明したように、仕切部９を備えて収納空間５が複数形成されてもよい。
【００５６】
補助収納体１は以下の解決すべき課題があり、その効果を奏する。すなわち、補助収納体１は、収納物５０が帯状に長い物であるか、途中で折り曲げたくない物の場合、折り曲げること無くそのまま収納したいという課題がある。以上説明した本発明の補助収納体１における補助側部２（２ｅ、２ｆを除く）の構成は、この課題を解決するものである。
【００５７】
図１０、図１１の例に示す例では、収納空間５は、収納体３０の側部３２の全周にわたって収納物５０を収納することができる。よって、収納物５０が帯状のもの、或いは折り曲げできない長尺状のものでも収納することができる。例として、補助側部２が透明の場合、収納空間５に収納された収納物５０を目視することができる。収納物５０として和服用の帯を装飾的な目的で環状に加工した帯加工品を収納空間５に収納した場合、外部から収納された帯加工品を目視することができる。補助収納体１及び後述する複合収納体４０は、装飾的な収納物５０を挿入しない場合に比べて美感が向上する。
【００５８】
例えば、後述する複合収納体４０は、収納空間５に予め帯加工品を挿入したものを商品として販売する場合、商品の価値が向上する可能性がある。或いは、補助収納体１は、収納空間５に広告等を挿入しておくことで、広告塔の役目を果たすことができる。
【００５９】
次に、補助側部２の例を、第一実施形態の補助収納体１ａを代表例として説明する。図８、図１０から図１４（図１０、図１１はそれぞれの（ａ））に示す例では、後述する第二実施形態の補助側部２ｂを除く補助側部２（２ａ、２ｃ〜２ｊ）は、側部３２の周方向に沿って延びるシート状の部材によって形成され、周方向のそれぞれの端部に周方向接続部８を備える構成である。補助側部２ａは、収納体３０における側部３２の平面方向の外側に周方向に沿って巻回される。補助側部２ａは、一方の周方向接続部８ａと他方の周方向接続部８ｂとが接続することにより側部３２を環状に覆い、補助側部２ａと側部３２との間に収納空間５が環状に形成される。
【００６０】
補助収納体１は以下の解決すべき課題があり、その効果を奏する。すなわち、補助収納体１は、収納体３０に対して容易に接続したいという課題がある。以上説明した本発明の補助収納体１における補助側部２（補助側部２ｂを除く）は、この課題を解決するものである。補助収納体１はシート状の部材なので、収納体３０の側部３２を環状に覆うことで容易に装着できる。また、補助側部２は周方向接続部８によって周方向の端部が接続されるので、収納空間５が安定して形成される。周方向接続部８は例えば面ファスナーで形成することができる。補助収納体１は、周方向接続部８の位置を調節すれば、収納体３０のサイズが異なるものに対しても接続可能である。また、補助収納体１は、周方向のサイズを複数用意することにより、異なるサイズの収納体３０に対応することができる。
【００６１】
次に、補助側部２の例を、第二実施形態の補助収納体１ｂを例に説明する。第二実施形態の補助収納体１ｂを代表とし、図９、図１０（ｂ）、図１１（ｂ）に示す例では、補助側部２ｂは、側部３２の周方向に沿って延びる環状の部材によって形成される構成である。第二接続部４は、側部３２の平面方向の外側、または底部３１の下側に接続され、補助側部２と側部３２との間に収納空間５が環状に形成される。第三実施形態の補助収納体１ｃの補助側部２ｃと、第四実施形態の補助収納体１ｄの補助側部２ｄについては後述する。
【００６２】
補助収納体１は以下の解決すべき課題があり、その効果を奏する。すなわち、補助収納体１は、収納体３０に対して接続のための作業を極力少なくしたいという課題がある。以上説明した本発明の補助収納体１における補助側部２は、この課題を解決するものである。補助収納体１は収納体３０を上下方向から挿入することにより容易に着脱することができる。また、補助側部２が環状に形成されているので、収納体３０の側部３２に装着するときに、収納空間５が安定して形成される。
【００６３】
次に、図１７、図１８を参照して、第五実施形態の補助収納体１ｅと第六実施形態の補助収納体１ｆの補助側部２ｅ（２ｆ）の例について説明する。補助収納体１ｅの補助側部２ｅは、側部３２の平面方向の外側に着脱可能であり、周方向のそれぞれの端部に第三接続部１０を備える。補助収納体１ｅは、第二接続部４と第三接続部１０が側部３２に接続することにより、収納空間５が形成される。
【００６４】
図１８に示すように、第二接続部４と第三接続部１０は、収納空間５を囲うように形成される。図１８（ａ）に示す第五実施形態の補助収納体１ｅは、第一接続部３を含む補助側部２ｅが、後述する図１５（ａ）と同様に収納体３０の側部３２の平面方向の内側に曲折可能なタイプを示す。図１８（ｂ）に示す第六実施形態の補助収納体１ｆは、後述する図１５（ｂ）と同様に、補助側部２の一方の端部２１が予め下側に曲折して形成されているタイプを示す。なお、後述する図１９に示すような形態であって、第四接続部１１を備えてもよい。
【００６５】
図１８に示す例では、補助収納体１ｅ（１ｆ）は収納空間５の側部３２に対して２個接続される場合を示すが、これに限らない。補助収納体１ｅ（１ｆ）は１個でもよいし、或いは３個以上でも良い。また、補助収納体１ｅ（１ｆ）が１個の場合、側部３２の周方向の全周を覆うように接続される形態でもよいし、周方向の一部に対して接続される形態でもよい。
【００６６】
補助収納体１は以下の解決すべき課題があり、その効果を奏する。すなわち、補助収納体１は、収納体３０の側部３２に対して独立して閉じた収納空間５を形成したいという課題がある。これは、使用者が収納体３０の側部３２の一部を利用した収納空間５に収納物５０を収納したい、或いは複数の収納空間５に対して複数の収納物５０を収納したいというニーズに対応する課題である。以上説明した本発明の補助収納体１ｅ、１ｆは、この課題を解決するものである。
【００６７】
図１７、図１８に示す第五実施形態の補助収納体１ｅ、及び第六実施形態の補助収納体１ｆの例では、補助収納体１は、第二接続部４と第三接続部１０が側部３２に接続することによって独立した収納空間５が形成される。よって、収納空間５は周方向において閉じた空間を形成することができる。補助収納体１ｅは、用途に応じて収納体３０の側部３２に対して所定の位置に着脱可能に構成することができる。また、補助収納体１は、収納体３０に対して複数個接続することができるので、独立した収納空間５を複数形成できる。使用者は、複数の収納物５０を個別の収納空間５に収納することができる。
【００６８】
次に、図１９を参照して、補助側部２の例を、第七実施形態の補助収納体１ｇの補助側部２ｇについて説明する。補助収納体１ｇは、第一接続部３、第二接続部４に加えてさらに第四接続部１１を備える。補助側部２ｇは、他方の端部２２における平面方向の内側において、第二接続部４が側部３２の稜線３８に隣接する位置に接続するように形成される。第四接続部１１は、補助側部２ｇが第二接続部４よりも下側で側部３２に接続するように、補助側部２ｇの平面方向の内側に形成される。収納空間５は、補助側部２ｇが第二接続部４よりも下側で曲折して上側に延びることにより袋状に形成される。
【００６９】
補助収納体１ｇは他の実施形態と比較すると、収納空間５が補助側部２ｇのみによって形成されるので、収納物５０を出し入れする際に補助側部２ｇの他方の端部２２に引っかかることを防止できる。また、収納空間５に収納された収納物５０が直接収納体３０の側部３２に接触する領域を少なくできる。第八実施形態の補助収納体１ｈと第九実施形態の補助収納体１ｊは後述する。
【００７０】
補助収納体１は以下の解決すべき課題があり、その効果を奏する。すなわち、補助収納体１は、収納空間５に対して収納物５０を容易に出し入れしたいという課題がある。或いは、収納物５０が汚れ物等の場合、収納体３０の側部３２にはできるだけ接触させたくないという課題がある。以上説明した本発明の補助収納体１ｇは、この課題を解決するものである。
【００７１】
図１７、図１８に示す例では、補助側部２によって収納空間５が形成されるので、収納物５０を容易に出し入れすることができる。すなわち、補助側部２の他方の端部２２は、蓋部６の近傍を除いて収納空間５の中には無いので、収納空間５に収納物５０を出し入れするときに補助側部２の他方の端部２２に引っかからない。また、第四接続部１１は、補助側部２が第二接続部４よりも下側で側部３２に接続するので、補助側部２が安定して収納体３０の側部３２に装着される。
【００７２】
また、この場合の補助収納体１は、補助側部２によって独立した収納空間５が形成されるので、収納空間５に汚れ物を収納しても収納体３０が汚れることを防止できる。補助収納体１が汚れた場合は、補助収納体１のみを交換するか、或いは清掃するのみでよい。
【００７３】
＜蓋部６を形成する補助側部２の構成、解決課題とその効果の説明＞
次に、補助収納体１において、蓋部６を形成する補助側部２と第一接続部３の構成を説明する。第一実施形態の補助収納体１ａを代表とし、図６〜１３、図１５（ａ、ｂ）、図１８（ａ）、図１９に示す例について説明する。補助側部２の一方の端部２１は、収納体３０における開口部３３の平面方向の内側に向かって曲折可能である。第一接続部３は、補助側部２の一方の端部２１の平面方向の内側に形成され、側部３２のうちの平面方向の内側に接続されることにより、補助側部２の一方の端部２１が収納空間５を覆うことで蓋部６が形成される。
【００７４】
補助収納体１ａは、収納体３０から分離した状態、あるいは蓋部６が形成されない状態では、第一接続部３を含む補助側部２の一方の端部２１は、上側に延びた状態か、折れ曲がった状態、或いはいわゆるフリーの状態である。図６から図９を参照して、収納体３０に補助収納体１ａを接続して、収納空間５に収納物５０を収納する手順を説明する。
【００７５】
図６は、補助収納体１ａの第二接続部４と収納体３０の第六接続部３５が接続された複合収納体４０に、収納物５０が収納される状態を示す。図７は、複合収納体４０に収納物５０が収納され、補助側部２ａの一方の端部２１を収納体３０の平面方向の内側に曲折し、第一接続部３を第五接続部３４に接続する状態を示す。図８は、図６の作業をした斜視図であり、シート状の補助側部２ａを収納体３０の側部３２に巻き込んで接続する状態を示す。図９は、第二実施形態の補助収納体１ｂを代表とし、環状に形成された補助側部２ｂを収納体３０に挿入して接続する状態を示す。
【００７６】
図１５（ａ）、（ｂ）は、第一実施形態の補助収納体１ａを代表とする補助側部２の一方の端部２１を説明したものである。図１５（ａ）は、補助側部２の一方の端部２１が閉じられて第一接続部３と第五接続部３４とが接続し、蓋部６が形成された状態を示す。図１５（ｂ）は、補助収納体１の第一接続部３が収納体３０の第五接続部３４から分離し、蓋部６が開いた状態を示す。この例では、補助側部２の一方の端部２１は、Ｌ１の長さで切込部７が形成されている。補助側部２の一方の端部２１は、第一接続部３が第五接続部３４と接続していない状態では、図１５（ｂ）に示すように上側に延びた状態が維持されても良いし、折れ曲がった状態でも良く、いわゆるフリーの状態でも良い。図１３に示すように、補助側部２の一方の端部２１は、切込部７と切込部７との間の領域を単位として開閉する。
【００７７】
補助収納体１は以下の解決すべき課題があり、その効果を奏する。すなわち、収納体３０に接続した補助収納体１は、単に収納空間５が形成されているのみでは、収納空間５に埃、或いは雨水が浸入してしまう。すると、収納空間５に収納された収納物５０が汚れてしまうという課題がある。また、補助収納体１は、収納空間５に対して収納物５０を出し入れ可能にする必要があるという課題がある。以上説明した本発明の補助収納体１の蓋部６を形成する補助側部２は、この課題を解決するものである。
【００７８】
図１５（ａ）、（ｂ）に示すように、蓋部６は収納空間５を覆うように形成されるので、収納空間５に雨水或いは埃等が侵入することを防止できる。また、蓋部６は補助側部２の一方の端部２１から所定の長さＬ１の範囲で開閉可能である。Ｌ１の長さは、蓋部６の開閉に必要な範囲で形成される。よって、使用者は、収納空間５に対して収納物５０を容易に出し入れできる。さらに、図６他に示すように、補助側部２の一方の端部２１は、特別な加工をすること無く第一接続部３を備えれば良いので、容易に製造することができる。
【００７９】
次に、図１４、図１５、図１８（ｂ）を参照して、第四実施形態の補助収納体１ｄと第六実施形態の補助収納体１ｆを例として、蓋部６を形成する補助側部２と第一接続部３の別の例を説明する。補助収納体１ｄ、１ｆの補助側部２ｄ、２ｆの一方の端部２１は、上下方向の上端部の曲折部２３において下側に曲折して形成され、第一接続部３は曲折部２３よりも下側に形成される。
【００８０】
図１５（ｃ）、（ｄ）は、第四実施形態の補助収納体１ｄを代表とする補助側部２（２ｄ）の一方の端部２１を説明したものである。図１５（ｃ）は、補助側部２の一方の端部２１が閉じられて第一接続部３と第五接続部３４とが接続し、蓋部６が形成された状態を示す。図１５（ｄ）は、補助収納体１の第一接続部３が収納体３０の第五接続部３４から分離し、蓋部６が開いた状態を示す。補助側部２の一方の端部２１は、第一接続部３が第五接続部３４と接続するように予め形状が作られており、第一接続部３が第五接続部３４から分離した状態でも、図１５（ｃ）の状態が維持される。この例では、補助側部２の一方の端部２１は、Ｌ２の長さで切込部７が形成されている。Ｌ２の長さは、蓋部６の開閉に必要な範囲で形成される。図１３に示すように、補助側部２の一方の端部２１は、切込部７と切込部７との間の領域を単位として開閉する。
【００８１】
補助収納体１は以下の解決すべき課題があり、その効果を奏する。すなわち、補助収納体１は、簡単な操作で収納体３０に接続し、蓋部６の形状を安定したものにしたいという課題がある。以上説明した補助側部２ｄによって形成される蓋部６は、この課題を解決するものである。図１４、図１５（ｃ）、（ｄ）に示す例では、補助側部２の上端部が蓋部６として予め形成されるので、第一接続部３を収納体３０の側部３２に接続するときに蓋部６の形状が安定して形成される。よって、使用者は補助側部２の一方の端部２１を曲折させる動作をすること無く、収納空間５を覆う蓋部６を形成することができる。
【００８２】
次に、図２０を参照して、第八実施形態の補助収納体１ｈと第九実施形態の補助収納体１ｊの例について説明する。補助収納体１ｈ、１ｊの例では、第一接続部３は、補助側部２の一方の端部２１の平面方向の内側に形成され、側部３２の前記平面方向の外側に接続される。図２０（ａ）は、第八実施形態の補助収納体１ｈを示す。第二接続部４は、補助側部２の他方の端部２２が折り返されて収納体３０の側部３２の第六接続部３５と接続する。図２０（ｂ）は、第九実施形態の補助収納体１ｊを示す。第二接続部４ｊ（４）は、補助側部２の他方の端部２２が折り返されることなく収納体３０の側部３２の第六接続部３５と接続する。
【００８３】
補助収納体１は以下の解決すべき課題があり、その効果を奏する。すなわち、補助収納体１は収納体３０に対して容易に接続したいという課題がある。以上説明した本発明の補助収納体１ｈと補助収納体１ｊは、その課題を解決するものである。図２０に示す例では、補助側部２は、収納体３０の稜線３８をまたぐことなく、第一接続部３が側部３２に直接接続されるので、収納体３０に対する着脱が容易である。
【００８４】
＜複合収納体４０の構成、解決課題とその効果の説明＞
次に、補助収納体１と収納体３０とが複合した複合収納体４０について説明する。図３に示すように、複合収納体４０は、補助収納体１と収納体３０を備える。収納体３０は、側部３２の稜線３８に隣接した位置に第一接続部３と接続する第五接続部３４と、側部３２の平面方向の外側、又は底部３１の下側に第二接続部４と接続する第六接続部３５を備える。
【００８５】
補助収納体１の第一接続部３、第二接続部４、及び収納体３０の第五接続部３４、及び第六接続部３５は、種々の形態を採用することができる。例として、それぞれに面ファスナーを採用することができる。図４を除いて、図３〜図２０は面ファスナーを想定したものである。例えば、第五接続部３４は第一接続部３よりも上下方向に広く形成されれば、第一接続部３が接続する位置の自由度が高くなる。第六接続部３５についても同様である。また、例として収納体３０の側部３２が、面ファスナーと接合しやすい材質であれば、第五接続部３４と第六接続部３５は、あえて面ファスナーを採用する必要は無い。
【００８６】
図４に示すように、補助収納体１の第一接続部３、第二接続部４、及び収納体３０の第五接続部３４、及び第六接続部３５は、ボタン、マグネットを採用することができる。この場合は、第一接続部３が第五接続部３４に接続する位置と、第二接続部４が第六接続部３５に接続する位置は、所定の位置に決められる。なお、第一接続部３から第八接続部３７は、その他種々の形態を採用することが可能である。
【００８７】
図１に示すように、複合収納体４０は、把手４１を備えても良い。把手４１は、収納体３０の側部３２の平面方向の内側に取り付けられる。把手４１の取付位置は、補助側部２が蓋部６を形成するときに邪魔にならないよう、上下方向の取付位置が考慮される。なお、図１以外の図においては、把手４１を省略する場合がある。
【００８８】
複合収納体４０には以下の解決すべき課題があり、その効果を奏する。すなわち、複合収納体４０は、補助収納体１の各効果を発揮できるよう構成するという課題がある。また、複合収納体４０は、補助収納体１が収納体３０に比べて損傷或いは汚れが発生する可能性が高いため、容易に交換したいという課題がある。以上説明した本発明の複合収納体４０は、この課題を解決するものである。
【００８９】
複合収納体４０は、補助収納体１による効果に加えて、補助収納体１と収納体３０との組合せによる効果を奏する。図３、図８、図９を例に示すように、複合収納体４０は、収納体３０に対して種々の形態である補助収納体１を着脱可能なので、収納体３０と補助収納体１との組合せを任意に選定することができる。また、補助収納体１は、収納体３０に対して交換可能である。具体的には、補助収納体１の第一接続部３が、収納体３０の第五接続部３４と接離可能であり、補助収納体１の第二接続部４が、収納体３０の第六接続部３５と接離可能である。
【００９０】
また、補助収納体１は、収納空間５に対して平面方向の外側に接続されるので、外部からの損傷、或いは汚れを受けやすい。補助収納体１は、収納体３０に対して交換可能であるので、複合収納体４０の一部である補助収納体１のみを交換することで、収納体３０を長期間使用することができる。
【００９１】
次に、図１７、図１８に示す例では、複合収納体４０は、補助収納体１（１ｅ、１ｆ）と、収納体３０を備える。収納体３０は、側部３２の稜線３８に隣接した位置に第一接続部３と接続する第五接続部３４と、側部３２の平面方向の外側、又は底部３１の下側に第二接続部４と接続する第六接続部３５と、側部３２の平面方向の外側に、第三接続部１０と接続する第七接続部３６を備える。
【００９２】
複合収納体４０には以下の解決すべき課題があり、その効果を奏する。すなわち、収納空間５は、収納物５０を出し入れしやすいように独立した閉じた空間にしたいという課題がある。以上説明した本発明の複合収納体４０は、この課題を解決するものである。図１７、図１８に示す例では、さらに、複合収納体４０の補助収納体１は第三接続部１０を備え、収納体３０は第七接続部３６を備える。よって、補助収納体１は、第二接続部４が収納体３０の第六接続部３５と、第三接続部１０が収納体３０の第七接続部３６とに接続することによって独立した収納空間５が形成される。複合収納体４０は、周方向において閉じた空間である収納空間５を形成することができる。
【００９３】
次に、図１９に示す例では、複合収納体４０は、補助収納体１ｇと、収納体３０を備える。収納体３０は、側部３２の稜線３８に隣接した位置に第一接続部３と接続する第五接続部３４と、側部３２の平面方向の外側、又は底部３１の下側に第二接続部４と接続する第六接続部３５と、側部３２の平面方向の外側に、第四接続部１１と接続する第八接続部３７を備える。
【００９４】
複合収納体４０には以下の解決すべき課題があり、その効果を奏する。すなわち、複合収納体４０は、収納物５０によって汚れ等が発生した場合、部分的な清掃かあるいは交換するだけで綺麗な状態に戻したいという課題がある。以上説明した本発明の複合収納体４０は、この課題を解決するものである。図１９に示す例では、さらに、複合収納体４０は第四接続部１１を備え、収納体３０は第八接続部３７を備える。補助側部２ｇによって収納空間５が形成されるので、収納物５０を容易に出し入れすることができる。また、第四接続部１１は、補助側部２ｇが第二接続部４よりも下側で側部３２に接続するので、補助側部２ｇが安定して収納体３０の側部３２に装着される。また、収納空間５は、補助側部２ｇによって形成され、側部３２と収納物５０が接触する領域は低減される、よって、収納物５０が汚れていても、補助収納体１ｇのみを交換するか、或いは清掃するのみで清潔な複合収納体４０にすることができる。
【００９５】
＜変形例＞
なお、本発明は上記の実施形態に限定されるものではなく、種々の変更が可能である。補助収納体１の各実施形態において、補助側部２及び蓋部６を形成する構成は個別に説明したが、これに限定されない。すなわち、各実施形態で説明した構成は、他の実施形態において組合せが可能である。例えば、図１４、図１７に示した構成が、図１９に示した構成と組合わされてもよいし、図１２及び図１３に示した構成が、図１９又は図２０に示した構成に組合わされてもよい。各実施形態で示した構成は、可能な範囲で任意に組合せが可能である。
【００９６】
また、補助側部２は透明の場合について説明したがこれに限らない。補助側部２は透明でなくてもよいし、また透明の場合についても無色であってもよいし有色であっても良い。さらに、補助側部２は網目状の材料を使用することにより、不透明の材料であっても、外部から収納空間５に収納された収納物５０が目視できるようにしても良い。
【符号の説明】
【００９７】
１、１ａ、１ｂ、１ｃ、１ｄ、１ｅ、１ｆ、１ｇ、１ｈ、１ｊ    補助収納体
２、２ａ、２ｂ、２ｃ、２ｄ、２ｅ、２ｆ、２ｇ、２ｈ、２ｊ    補助側部
３    第一接続部
４    第二接続部
５    収納空間
６    蓋部
７    切込部
８、８ａ、８ｂ    周方向接続部
９    仕切部
１０    第三接続部
１１    第四接続部
１２    第二端部材
１６    第一端部材
２０    補助側部部材
２１    端部
２２    端部
２３    曲折部
３０    収納体
３０ｂ  収納体
３１    底部
３２    側部
３３    開口部
３４    第五接続部
３５    第六接続部
３６    第七接続部
３７    第八接続部
３８    稜線
４０    複合収納体
【要約】
【課題】収納体の側面側の外周に装着することで、収納空間を形成する補助収納体を提供する。
【解決手段】補助収納体１は、収納体３０に着脱可能である。補助収納体１は、上下方向と周方向に延びる補助側部２と、側部３２に着脱可能な第一接続部３と、側部３２、または底部３１に着脱可能な第二接続部４を備える。第一接続部３は、稜線３８に隣接した位置で側部３２に接続されるように、補助側部２の一方の端部２１に形成される。第二接続部４は、補助側部２の他方の端部２２に形成される。第二接続部４が、収納体３０における側部３２の平面方向の外側、または底部３１の下側に接続されるとき、補助側部２と側部３２との間に袋状の収納空間５が形成される。第一接続部３が側部３２に接続されるとき、補助側部２の一部が収納空間５の蓋部６を形成する。
【選択図】図３【図１】
0006867576.tif 000002
【図２】
0006867576.tif 000003
【図３】
0006867576.tif 000004
【図４】
0006867576.tif 000005
【図５】
0006867576.tif 000006
【図６】
0006867576.tif 000007
【図７】
0006867576.tif 000008
【図８】
0006867576.tif 000009
【図９】
0006867576.tif 000010
【図１０】
0006867576.tif 000011
【図１１】
0006867576.tif 000012
【図１２】
0006867576.tif 000013
【図１３】
0006867576.tif 000014
【図１４】
0006867576.tif 000015
【図１５】
0006867576.tif 000016
【図１６】
0006867576.tif 000017
【図１７】
0006867576.tif 000018
【図１８】
0006867576.tif 000019
【図１９】
0006867576.tif 000020
【図２０】
0006867576.tif 000021